(57)【要約】【課題】  女性用衣類の肩紐に、鎖、紐、テープなどの装飾部材を接続するための留め具を装着し、この留め具から直接あるいは間接にアクセサリー等の装飾品を吊り下げることで従来不可能であった胸元のお洒落を実現できる。【解決手段】  女性用衣類の肩紐Ｓに、鎖、紐、テープなどの装飾部材９の端部を接続できるように構成してなる着脱自在の肩紐用留め具。【選択図】    図２
0003105834.tif 000002
【実用新案登録請求の範囲】
【請求項１】
女性用衣類の肩紐に、鎖、紐、テープなどの装飾部材の端部を接続できるように構成してなる着脱自在の肩紐用留め具。
【考案の詳細な説明】
【技術分野】
【０００１】
本考案は、ブラジャー、ブラスリップ、ボディスーツ、スリップ、キャミソール、などのインナーおよびキャミソール・ドレス、スリップ・ドレスなどアウターとして着用するランジェリー・ルックの肩紐に装飾部材を接続する肩紐用留め具に関するものである。
【背景技術】
【０００２】
女性の胸部は注目度が高く、アクセサリーを装着した場合には効果が他の部位に比較すると非常に高い。そのために、ネックレス、ブローチ等のアクセサリーで胸元を装うことが行われている。
【０００３】
また女性のバスト部分は立体形状になっていることから衣類と身体、または下着と衣類の間に空間が存在することになり、この部分を使用して首からペンダントやお守りなど吊って装うケースも多く行われている。
【０００４】
従来、これらのアクセサリーは、衣類の正面部に直接取付金具などを使用して装着するか、鎖、紐、テープ等で首の後ろに回して吊り下げることで装飾を行っている。
【０００５】
しかし、胸元が大きく開いた女性用衣類の場合、アクセサリーなどの装飾品を固定するための土台がなく、首から吊るす以外、着用者の正面側を装飾品で装うことができなかった。
【０００６】
すなわち、着用者が胸元の開いた衣類を着用している場合、首からの鎖、紐、テープを介さないでアクセサリーなどの装飾品を装う場合、女性用衣類の肩紐に、アクセサリーなどの装飾品の一端を接続するのが一つの方法になる。
【０００７】
しかしながら、下着は頻繁に取り替えるのが普通であり、アクセサリーなどの装飾品は、洗濯時に他の洗濯物との衝突に対して充分な考慮が施されていないばかりでなく、洗剤や漂白剤に対しての対応も施されているとは考えられないことから、容易に着脱可能な留め具が必要となるが、そのような留め具は存在しなかった。
【０００８】
また、これらの紐、鎖、テープを下着の肩紐に接続しようとしても、従来は安全ピンのようなものしかなく、不体裁でありお洒落を意識する女性には実行するに値しない状態であった現実がある。
【考案の開示】
【考案が解決しようとする課題】
【０００９】
本考案は、上記のような問題点を解決することを課題として研究開発されたもので、女性用衣類の肩紐に、鎖、紐、テープなどの装飾部材を接続するための留め具を装着し、この留め具から直接、間接にアクセサリー等の装飾品を吊り下げることで従来不可能であった胸元のお洒落を実現できるようにした肩紐用留め具を提供することを目的とするものである。
【課題を解決するための手段】
【００１０】
上記の課題を解決し、その目的を達成する手段として、本考案は、女性用衣類の肩紐に、鎖、紐、テープなどの装飾部材の端部を接続できるように構成してなる着脱自在の肩紐用留め具を開発し、採用した。
【考案の効果】
【００１１】
肩紐に着脱自在な留め具を嵌め、この留め具に鎖、紐、テープなどの装飾部材を接続してあるから、胸元が大きく開いた衣類を着用した場合においても、胸元の装飾を施すことが可能になった。この装飾は肩紐との連結による新しいタイプの装飾となり従来にないアクセントのある美しい装飾ができる。また、装飾部材は左右の肩紐間をブリッジさせたり、あるいは鎖、紐、テープなどを介して間接的にアクセサリー等の装飾品を取り付けることも可能である。
【００１２】
さらに、装飾性の高い鎖、紐、テープなどに高価な装飾品を接続し、その鎖、紐、テープを首から回して留め具に取り付けた場合、鎖、紐、テープが切断した場合のバックアップになり、高価な装飾品を紛失することが少なくなる。
【考案を実施するための最良の形態】
【００１３】
以下に、本考案の第１実施の形態を添付の図１〜図３に基づいて説明すれば、１は方形状の金属板を打ち抜いたもの、または型成形により仕上げた硬質合成樹脂製の留め具であり、上横杆２、中横杆３、下横杆４、側杆５からなる略Ｅ字状に形成されている。
【００１４】
上横杆２はその一側部を直角に下方に折り曲げて上部係止部２ａとし、下辺の中央部を下方に突出する突出部２ｂを形成し、その突出部２ｂより両側に向かって上方に傾斜している。中横杆３は一側部に向かって細くなっており、その長手方向に長孔３ａが穿設されている。下横杆４はその一側部を直角に上方に折り曲げて下部係止部４ａを設けると共に、上辺の中央部を上方に突出する突出部４ｂを形成し、その突出部４ｂより両側に向かって下方に傾斜している。
【００１５】
６は一側部の上部係止部２ａと下部係止部４ａとの間の切欠部による肩紐挿入口、７は上横杆２と中横杆３の間の上部挿通孔、８は中横杆３と下横杆４の間の下部挿通孔８である。
【００１６】
このように構成された留め具１の使用状態を説明すれば、図２，図３に示すように、肩紐Ｓに留め具１の肩紐挿入口６から挿入して上下部挿通孔７，８に挿通する。肩紐Ｓは上横杆２の上部係止部２ａと下辺突出部２ｂおよび下横杆４の下部係止部４ａと上辺突出部４ｂとに抑えられてずれることがない。そして、鎖、紐、テープなどの細長状装飾部材９の端部に取り付けた係止具１０を中横杆３の横長孔３ａの端部に係止すれば、左右の肩紐Ｓ，Ｓ間に鎖、紐、テープなどの細長状装飾部材９がブリッジされ、胸元が大きく開いた衣類を着用した場合でも胸元の装飾が可能になる。勿論、片側の肩紐Ｓに装着した留め具１に鎖、紐、テープを直接吊り下げたり、あるいは鎖、紐、テープなどを介して間接的にアクセサリー等の装飾品を取り付けることも可能である。
【００１７】
つぎに、本考案の第２実施の形態を添付の図４〜図７に基づいて説明する。上記第１実施の形態では、肩紐挿入口６が一側方に形成してあったが、この第２実施の形態では上下部に肩紐挿入口１６，１６を形成したものである。
【００１８】
すなわち、前記第１実施の形態と同様に、金属板を打ち抜いたもの、または型成形により仕上げた硬質合成樹脂製の留め具１１は、左右上横杆１２，１２および左右下横杆１４，１４の間を切欠部として肩紐挿入口１６，１６を形成してあり、その左右上横杆１２，１２および左右下横杆１４，１４の対向面を膨出曲面部１２ａ，１２ａおよび１４ａ，１４ａにしてあると共に、中横杆１３は中央部が幅広くなっている。そして、一方の側杆１５の中央部にリング１３ａを上方に曲げて固着してある。１７は左右上横杆１２，１２と中杆１３の間の上部挿通孔、１８は中杆１３と左右下横杆１４，１４の間の下部挿通孔である。
【００１９】
この第２実施の形態の留め具１１の使用状態を説明すれば、図６，７に示すように、上部および下部の挿入口１６，１６から肩紐Ｓを入れ、上下部挿通孔１７，１８に挿通すれば、左右上横杆１２，１２および左右下横杆１４，１４の膨出曲面部１２ａ，１２ａおよび１４ａ，１４ａで抑えられて肩紐Ｓはずれることがない。そして、リング１３ａに鎖、紐、テープなどの細長状装飾部材１９の端部に取り付けた係止具２０を繋ぐことにより左右の肩紐Ｓ，Ｓ間に装飾部材１９がブリッジされ、胸元が大きく開いた衣類を着用した場合でも、胸元の装飾が可能になった。この装飾部材１９はリング１３ａから外すことができるので取り換え自在になり、衣類にマッチした装飾品に変えることができる。
【００２０】
なお、前記実施の形態においては、装飾部材９，１９を左右の肩紐Ｓ，Ｓ間をブリッジする例で説明したが、本考案は、これらの実施の形態に限定されるものではなく、片側のみに取り付けることもあり、発明の目的を達成でき、かつ発明の要旨を逸脱しない範囲内において種々の設計変更が可能であることは当然のことである。
【産業上の利用可能性】
【００２１】
本考案は、ブラジャー、ブラスリップ、ボディスーツなどのインナーウエアーに限らず、キャミソール・ドレス、スリップ・ドレスをインナーとして装うのでなく、リゾートウエアーやタウンウエアー等のアウターとして使用するランジェリルックの肩紐にも利用できるものである。
【図面の簡単な説明】
【００２２】
【図１】本考案の第1実施形態の正面図である。
【図２】肩紐に装着した正面図である。
【図３】使用状態を示す斜視図である。
【図４】本考案の第２実施形態の正面図である。
【図５】図４のＡ−Ａ線断面図である。
【図６】肩紐に装着した正面図である。
【図７】使用状態を示す斜視図である。
【符号の説明】
【００２３】
Ｓ  肩紐
１  留め具
９  装飾部材
【図１】
0003105834.tif 000003
【図２】
0003105834.tif 000004
【図３】
0003105834.tif 000005
【図４】
0003105834.tif 000006
【図５】
0003105834.tif 000007
【図６】
0003105834.tif 000008
【図７】
0003105834.tif 000009
【手続補正書】
【提出日】平成16年8月18日(2004.8.18)
【手続補正１】
【補正対象書類名】実用新案登録請求の範囲
【補正対象項目名】請求項１
【補正方法】変更
【補正の内容】
【請求項１】
女性用衣類の肩紐に着脱自在の留め具を嵌め、鎖、紐、テープなどの装飾部材の端部に取り付けた係止具を留め具に係止するように構成したことを特徴とする肩紐用留め具。
【手続補正２】
【補正対象書類名】明細書
【補正対象項目名】００１０
【補正方法】変更
【補正の内容】
【００１０】
上記の課題を解決し、その目的を達成する手段として、本考案は、女性用衣類の肩紐に着脱自在の留め具を嵌め、鎖、紐、テープなどの装飾部材の端部に取り付けた係止具を留め具に係止するように構成したことを特徴とする肩紐用留め具を開発し、採用した。